(57)【要約】【課題】鉄心片２、２’を積層して構成された電機子鉄心１であって、特定の部位の積層高さが他の部位の積層高さと異なるように構成することができる電機子鉄心１を提供する。【解決手段】複数の鉄心片２、２’を積層してなる固定子鉄心１において、複数の部位を形成する形状を備える鉄心片２を積層してなる中心部５と、中心部５に接するとともに、中心部５を構成する鉄心片２が形成する形状の一部を欠いた形状を備える鉄心片２’を積層してなる上端部６と下端部７と、を備える。【選択図】図２
2016086508.tif 000002
【特許請求の範囲】
【請求項１】
複数の鉄心片を積層してなる電機子鉄心において、
複数の部位を形成する形状を備える前記鉄心片を積層してなる中心部と、
前記中心部に接するとともに、前記中心部を構成する前記鉄心片が備える形状の一部を欠いた形状を備える前記鉄心片を積層してなる端部と、
を備えることを特徴とする電機子鉄心。
【請求項２】
前記電機子鉄心は、ヨーク部とティース部を備えるとともに、
前記中心部を構成する前記鉄心片は、前記ヨーク部と前記ティース部の両方を形成する形状を備え、
前記端部を構成する前記鉄心片は、前記ティース部の全てと、前記ヨーク部の一部であって前記ティース部と連続する部分を形成する形状を欠いている、
ことを特徴とする請求項１に記載の電機子鉄心。
【請求項３】
前記電機子鉄心は、ヨーク部とティース部を備えるとともに、
前記中心部を構成する前記鉄心片は、前記ヨーク部と前記ティース部の両方を形成する形状を備え、
前記端部を構成する前記鉄心片は、前記ティース部の全てと、前記ヨーク部の一部であって前記ティース部と連続する部分を形成する形状を備える、
ことを特徴とする請求項１に記載の電機子鉄心。
【請求項４】
前記電機子鉄心の端部に積層される前記鉄心片の前記ティース部を形成する部分の幅は、前記電機子鉄心の他の前記鉄心片の当該部分の幅より小さくなるように構成されている、
ことを特徴とする請求項２又は請求項３に記載の電機子鉄心。
【請求項５】
前記電機子鉄心を貫く貫通孔が形成されていて、前記貫通孔に樹脂材料が充填されている、
ことを特徴とする請求項１乃至請求項４のいずれか一項に記載の電機子鉄心。
【請求項６】
前記電機子鉄心に巻装される巻線と前記電機子鉄心の間に配置されて、両者を電気的に絶縁する絶縁体を備えるとともに、
前記絶縁体は前記樹脂材料と同一の樹脂で成形されている、
ことを特徴とする請求項５に記載の電機子鉄心。
【請求項７】
請求項６に記載の電機子鉄心の製造方法であって、
前記鉄心片を積層する積層工程と、
積層された前記鉄心片を成形型の中に入れて、前記樹脂材料を前記成形型に注入して、前記樹脂材料を前記貫通孔に充填するとともに、前記樹脂材料と同一の樹脂で前記絶縁体を成形する充填成形工程と、
を有する電機子鉄心の製造方法。
【発明の詳細な説明】
【技術分野】
【０００１】
本発明は、複数の鉄心片を積層してなる電機子鉄心及び電機子鉄心の製造方法に関する。
【背景技術】
【０００２】
電動機や発電機の固定子や回転子を総称して電機子と呼ぶ。電機子は、電機子鉄心に、巻線を巻装して構成される。電機子鉄心は複数の部位からなる。例えば特許文献１に開示された電機子鉄心は、巻線が巻装される複数のティース部と、ティース部の背後にあって、複数のティース部を互いに連結するヨーク部とからなる。また、この電機子鉄心は、複数の鉄心片を積層して構成されていて、鉄心片は全て同一の形状を備えている。つまり、全ての鉄心片は、ヨーク部とティース部の両方を形成する形状を備えている。このように、従来の電機子鉄心は、同一の形状を備える鉄心片を積層して構成されているので、ティース部とヨーク部の積層高さは同一である。
【先行技術文献】
【特許文献】
【０００３】
【特許文献１】特開昭６１−２９３１３６号公報
【発明の概要】
【発明が解決しようとする課題】
【０００４】
電動機や発電機は、効率の最大化、出力の最大化、寸法の最小化等を目標にして設計されるが、これらの設計目標はトレードオフの関係にあって、複数の設計目標の調和を図るような設計がなされる。また、設計目標を達成するためには、ティース部及びヨーク部における磁気飽和の緩和、つまりティース部とヨーク部の断面積の最大化、あるいは巻線の占積率の最大化が要求されるが、これらもトレードオフの関係にある。したがって、電動機や発電機の設計にあたっては、ティース部とヨーク部の断面積及び巻線の占積率の組み合わせが最適になるように、電機子の形状を最適化する必要がある。しかしながら、従来の電機子鉄心では、ティース部とヨーク部の積層高さが同一のものに限定されるので、設計の自由度が低いという問題がある。そのため、ティース部とヨーク部の断面積及び巻線の占積率の組み合わせを最適化することが難しいという問題がある。
【０００５】
本発明は、このような事情に鑑みてなされたものであり、鉄心片を積層して構成された電機子鉄心であって、特定の部位の積層高さが他の部位の積層高さと異なるように構成することができる電機子鉄心及び電機子鉄心の製造方法を提供するものである。
【課題を解決するための手段】
【０００６】
上記課題を解決するために、本発明の第１の観点に係る電機子鉄心は、複数の鉄心片を積層してなる電機子鉄心において、複数の部位を形成する形状を備える前記鉄心片を積層してなる中心部と、前記中心部に接するとともに、前記中心部を構成する前記鉄心片が備える形状の一部を欠いた形状を備える前記鉄心片を積層してなる端部と、を備えることを特徴とする。
【０００７】
前記電機子鉄心は、ヨーク部とティース部を備えるとともに、前記中心部を構成する前記鉄心片は、前記ヨーク部と前記ティース部の両方を形成する形状を備え、前記端部を構成する前記鉄心片は、前記ティース部の全てと、前記ヨーク部の一部であって前記ティース部と連続する部分を形成する形状を欠いているようにしても良い。
【０００８】
前記電機子鉄心は、ヨーク部とティース部を備えるとともに、前記中心部を構成する前記鉄心片は、前記ヨーク部と前記ティース部の両方を形成する形状を備え、前記端部を構成する前記鉄心片は、前記ティース部の全てと、前記ヨーク部の一部であって前記ティース部と連続する部分を形成する形状を備えるようにしても良い。前記ヨーク部の前記ティース部と連続する部分は、環状に連続した形態でも良いし、前記ティース毎に独立した形態でも良い。
【０００９】
前記電機子鉄心の端部に積層される前記鉄心片の前記ティース部を形成する部分の幅は、前記電機子鉄心の他の前記鉄心片の当該部分の幅より小さくなるように構成されても良い。
【００１０】
本発明に係る電機子鉄心は、前記電機子鉄心を貫く貫通孔が形成されていて、前記貫通孔に樹脂材料が充填されているようにしても良い。
【００１１】
本発明に係る電機子鉄心は、前記電機子鉄心に巻装される巻線と前記電機子鉄心の間に配置されて、両者を電気的に絶縁する絶縁体を備えるとともに、前記絶縁体は前記樹脂材料と同一の樹脂で成形されているようにしても良い。
【００１２】
本発明の第２の観点に係る電機子鉄心の製造方法は、上記の電機子鉄心の製造方法であって、前記鉄心片を積層する積層工程と、積層された前記鉄心片を成形型の中に入れて、前記樹脂材料を前記成形型に注入して、前記樹脂材料を前記貫通孔に充填するとともに、前記樹脂材料と同一の樹脂で前記絶縁体を成形する充填成形工程と、を有する。
【発明の効果】
【００１３】
本発明によれば、鉄心片を積層して構成された電機子鉄心において、特定の部位の積層高さを自由に変更できるので、電機子鉄心設計の自由度が大きくなる。その結果、電機子鉄心の設計が容易になる。
【００１４】
また、本発明に係る方法によれば、貫通穴への樹脂材料の充填と、前記樹脂材料による絶縁体の成型を同一工程で実行するので、製造工程を合理化して、製造コストを削減することができる。
【図面の簡単な説明】
【００１５】
【図１】本発明の第１の実施形態に係る固定子鉄心の外形を示す斜視図である。
【図２】本発明の第１の実施形態に係る固定子鉄心を、回転軸を含む平面で切断した縦断面図である。
【図３】本発明の第１の実施形態に係る固定子の縦断面図である。
【図４】本発明の別の実施形態に係る固定子鉄心の外形を示す斜視図であって、（ａ）は第２の実施形態、（ｂ）は第２の実施形態の変形例に係る固定子鉄心の外形を、それぞれ示している。
【図５】本発明の別の実施形態に係る固定子鉄心の外形を示す斜視図であって、（ａ）は第３の実施形態、（ｂ）は第４の実施形態に係る固定子鉄心の外形を、それぞれ示している。
【図６】第２の実施形態の説明図であって、（ａ）は固定子鉄心の縦断面図、（ｂ）は固定子の縦断面図である。
【図７】第３の実施形態の説明図であって、（ａ）は固定子鉄心の縦断面図、（ｂ）は固定子の縦断面図である。
【図８】第１の実施形態に係る固定子鉄心の変形例を示す説明図であって、（ａ）は固定子鉄心の縦断面図であり、（ｂ）は固定子鉄心を（ａ）のＡ−Ａ線で切断したティース部の横断面図であり、（ｃ）はティース部の変形例を示す横断面図である。
【図９】樹脂材料の充填と絶縁体の成型を行う装置の要部を示す縦断面図である。
【図１０】第１の実施形態に係る電動機の縦断面図である。
【図１１】第３の実施形態に係る電動機の変形例を示す縦断面図である。
【図１２】従来技術に係る電動機の縦断面図である。
【図１３】第１の実施形態に係る固定子鉄心の変形例を示す斜視図であって、（ａ）は分割固定子鉄心の斜視図であり、（ｂ）は分割固定子鉄心を組み合わせて構成される固定子鉄心の斜視図である。
【発明を実施するための形態】
【００１６】
以下、本発明に係る電機子鉄心、及び該電機子鉄心の製造方法について図面を参照しながら詳細に説明する。なお、ここでは、電動機用の電機子鉄心を例に挙げて説明する。
【００１７】
まず、図１〜図３を参照して、本発明の第１の実施形態にかかる固定子鉄心１の構成を説明する。なお、図１は、固定子鉄心１の全体の外形を示す斜視図であって、図２は固定子鉄心１を、回転軸Ｘを含む平面で切断した縦断面図である。固定子鉄心１は、後述する電動機の構成部品の一つであって、図２に示すように、鉄心片２を積層して構成され、ヨーク部３とティース部４を備えている。ヨーク部３は固定子鉄心１の外郭を構成する円輪状の部分であって、ヨーク部３の内側には、複数のティース部４が突出している。なお、鉄心片２は、例えばケイ素等を添加して鉄損を低下させた鋼板（いわゆる電磁鋼板）の薄板をプレスで打ち抜いて成形される。
【００１８】
また、固定子鉄心１は、中心部５、上端部６及び下端部７に区分される。中心部５は、固定子鉄心１の積層高さ方向において中心部を占める位置に配置されていて、ヨーク部３とティース部４を構成する鉄心片２を積層して構成されている。上端部６は中心部５の上面に接して、下端部７は中心部５の下面に接して、それぞれ配置された部分であって、鉄心片２’を積層して構成されている。鉄心片２がヨーク部３とティース部４を形成する形状を備えているのに対して、鉄心片２’はヨーク部３を形成する形状だけを備え、ティース部４を構成する形成を備えていない。つまり、上端部６及び下端部７を構成する鉄心片２’は中心部５を構成する鉄心片２とは形状が異なる。なお、鉄心片２’は、鉄心片２と同様に、電磁鋼板の薄板をプレスで打ち抜いて成形される。また、図２においては、煩雑を避けるために、鉄心片２、２’の断面にハッチングを施していない。図３以下についても同様である。
【００１９】
このように、中心部５は鉄心片２を積層して構成され、上端部６と下端部７は鉄心片２’を積層して構成されるので、ティース部４は中心部５にだけ形成されて、上端部６と下端部７には形成されない。このため、ティース部４の積層高さはヨーク部３の積層高さに比べて小さくなる。
【００２０】
また、固定子鉄心１のヨーク部３には、固定子鉄心１の上面から下面までを貫く貫通孔８が形成されている。貫通孔８は、鉄心片２、２’をプレスで打ち抜いて成形する際に、鉄心片２、２’を貫く透穴を形成して、該透穴の位置を合わせて、鉄心片２、２’を積層することによって形成される。貫通孔８には、図３に示すように、樹脂材料１０が充填されている。樹脂材料１０は、貫通孔８内で硬化して、鉄心片２、２’を互いに締結している。
【００２１】
同じく、図３に示すように、固定子９のティース部４には絶縁体１１が取り付けられていて、絶縁体１１の上には巻線１２が巻装されている。絶縁体１１は、固定子鉄心１と巻線１２を電気的に絶縁する部材であって、一般にインシュレータと呼ばれる。なお、絶縁体１１は、樹脂材料１０の貫通孔８への充填と同一工程において、樹脂材料１０と同一の樹脂で成型される。この工程の詳細については後述する。
【００２２】
樹脂材料１０は、硬化前は流動性を有していて、加圧注入による充填と成型が可能であって、硬化後は所望の機械的強度と電気的絶縁性を発揮するものであれば、その種類は特に限定されないが、本実施形態では樹脂材料１０としてエポキシ系樹脂を使用している。エポキシ系樹脂は熱硬化樹脂であって、固定子９の製造過程あるいは使用中に高温に曝されても、軟化、液化することがないので都合が良い。もっとも、製造過程あるいは使用中において、固定子９が曝される温度が、当該樹脂が軟化する温度よりも低ければ、熱可塑性樹脂を樹脂材料１０として使用することも可能である。
【００２３】
固定子鉄心１と巻線１２を電気的に絶縁する方法としては、ティース部に絶縁フィルムや絶縁紙を巻きつけて絶縁層を形成する方法や、別工程で成形した絶縁部材をティースに装着する方法等もあるが、樹脂材料１０を貫通孔８への充填と絶縁体１１の成形を同一工程で実行すれば、生産性が向上する。
【００２４】
次に、図４と図５を参照して、本発明の他の実施形態に係る固定子鉄心１の構成を説明する。本発明の第２の実施形態に係る固定子鉄心１は、図４（ａ）に示すように、中心部５はヨーク部３とティース部４の両方を備え、上端部６及び下端部７はティース部４の全てと、前記ヨーク部３の一部を欠いた形状を備えることを特徴としている。つまり、上端部６及び下端部７は、ティース部４の全てと、全体として環状に構成されたヨーク部３の内側にあってティース部４と連続する環状部を欠いた形状を備えている。第２の実施形態に係る固定子鉄心１は、図４（ｂ）に示すように、上端部６において、ヨーク部３のティース部４とつながる部分を部分的に切り欠くようにしても良い。この場合、上端部６のヨーク部３の内、ティース部４とつながらない部分の幅は、中心部５のヨーク部３の幅と同じになる。
【００２５】
本発明の第３の実施形態に係る固定子鉄心１は、図５（ａ）に示すように、中心部５はヨーク部３とティース部４の両方を備え、上端部６及び下端部７はティース部４の全てと、ヨーク部３の一部を備えることを特徴としている。また、上端部６及び下端部７が備えるヨーク部３の一部は全体として環状に構成され、ティース部４と連続している。つまり、上端部６及び下端部７は、第２の実施形態において欠いていた部分を備え、第２の実施形態において備えていた部分を備えていないことを特徴としている。なお、図５（ａ）においては、下端部７は中心部５の下に隠れて見えない。
【００２６】
本発明の第４の実施形態に係る固定子鉄心１は、図５（ｂ）に示すように、中心部５はヨーク部３とティース部４の両方を備え、上端部６及び下端部７は、ティース部４毎に分割された形状であって、ティース部４の全てとヨーク部３の一部を備える形状を備えることを特徴としている。なお、図５（ｂ）においても、下端部７は中心部５の下に隠れて見えない。
【００２７】
次に、図６を参照して、第２の実施形態に係る固定子鉄心１と固定子９の特徴を説明する。前述したように、上端部６及び下端部７は、ティース部４の全てと、全体として環状に構成されたヨーク部３の内側にあってティース部４と連続する環状部を欠いている。そのため、縦断面図（電動機の回転軸を含む平面で切断して得られる断面）で見ると、図６（ａ）に示すように、上端部６と下端部７におけるヨーク部３の幅は、中心部５におけるヨーク部３の幅より小さくなる。なお、図中の破線は中心部５における、ヨーク部３とティース部４の境界を示している。このように構成されているので、図６（ｂ）に示すように、ティース部４の周囲に絶縁部１１を形成する場合に、絶縁部１１の一部（図において左端）をヨーク部３側に張り出すように成型できる。つまり、上端部６及び下端部７において、ヨーク部３の一部が切り欠かれた部分に絶縁部１１の左端部を形成することができる。そのため絶縁部１１の内側寸法を拡大して、巻線１２の占積率を拡大することができる。
【００２８】
次に、図７を参照して、第３の実施形態に係る固定子鉄心１と固定子９の特徴を説明する。前述したように、第３の実施形態に係る固定子鉄心１は、上端部６及び下端部７にティース部４の全てと、ヨーク部３の一部を備えることを特徴としている。また、ヨーク部３の前記一部は全体として環状に構成され、ティース部４と連続している。これを縦断面図で見ると、図７（ａ）に示すように、上端部６と下端部７の左端は、ヨーク部３とティース部４の境界を越えて図の左側に張り出している。このように構成されているので、図７（ｂ）に示すように、絶縁部１１の一部（図において左端）をヨーク部３側に張り出すように成型でき、第２の実施の形態と同様に、絶縁部１１の内側寸法を拡大して、巻線１２の占積率を拡大することができる。また、第３の実施形態に係る固定子鉄心１は、ヨーク部３に形成された貫通孔８に加えて、ティース部４に貫通孔８’が形成される。図７（ｂ）に示すように、貫通孔８’には樹脂材料１０と同一の樹脂材料１０’が充填されて、上端部６と下端部７を中心部５と締結している。
【００２９】
第１の実施形態に係る固定子９は、図８に示すように構成されても良い。この固定子９は、図８（ａ）に現れる縦断面形においては、図３に示した固定子９と同様に構成されているが、ティース部４をＡ−Ａ線で切断した横断面形に特徴がある。すなわち、図８（ｂ）に示すように、ティース部４の最上段と最下段にある鉄心片２’ａの幅、つまり図８（ｂ）に現れる横方向の長さが、他の鉄心片２に比べて小さい。このように構成することによって、絶縁体１１の横断面の隅部の曲率半径を大きくできるので、巻線１２（図８において図示せず）の巻装が容易になる。また、隅部の曲率半径を大きくすると、絶縁体１１の横断面の周長が短くなる。その結果、巻線１２の長さが短くなるので、銅損が減少し、電動機の効率が向上する。幅を短くする鉄芯は最上段と最下段にある鉄心片２’ａに限られない。図８（ｃ）に示すように、ティース部４の最上段と最下段において、鉄心片２’ａ、２’ｂ、２’ｃを順に積層して、ティース部４の幅が漸増するようにしても良い。なお、このような構成は、他の実施形態に係る固定子９にも適用することができる。
【００３０】
次に、固定子鉄心１の製造方法について説明する。なお、以下において、第２の実施形態に係る固定子鉄心１を例にして、その製造方法を説明するが、他の実施形態に係る固定子鉄心１も同じ方法で製造できる。
【００３１】
固定子鉄心１の製造にあたっては、まず、硅素鋼鈑等の電磁鋼鈑をプレスで打ち抜いて、鉄心２及び鉄心２’を形成する。そして、貫通孔８が形成されるように、位置を揃えて、鉄心片２及び鉄心片２’を積層する（積層工程）。この時、鉄心片２及び鉄心片２’を正しく積層するために治具を使用しても良いし、積層された鉄心片２及び鉄心片２’を一時的に固定するクリップのようなものを使用しても良い。次に、積層された鉄心片２及び鉄心片２’を、後述する成形型に入れて、貫通孔８に樹脂を注入して、貫通孔８を樹脂材料１０で充填するとともに、樹脂材料１０と同一の樹脂を前記成形型に注入して絶縁体１１を成型する（充填成型工程）。
【００３２】
充填成型工程において使用される成形型は図９に示すような上金型１３と下金型１４とから構成されていて、充填成型工程は、固定子鉄心１を上金型１３と下金型１４の間に挟んで行う。上金型１３と下金型１４は図示しない樹脂充填装置に取り付けられて、固定子鉄心１を押圧する。上金型１３は充填用樹脂注入口１５と成型用樹脂注入口１６を備えている。充填用樹脂注入口１５は貫通孔８に連通している。成型用樹脂注入口１６は固定子鉄心１と上金型１３及び下金型１４の間に形成された隙間１７に連通している。隙間１７は絶縁体１１を成形する鋳型として機能する形状を備えている。そして、前記樹脂充填装置から樹脂材料１０の原料樹脂が供給され、充填用樹脂注入口１５と成型用樹脂注入口１６を通じて、貫通孔８と隙間１７に注入される。その後、所定の温度に加温すると、前記原料樹脂は貫通孔８と隙間１７において硬化して樹脂材料１０を形成する。隙間１７において硬化した前記原料樹脂は絶縁体１１を形成する。その後、固定子鉄心１を上金型１３と下金型１４から取り出して、ゲートの切断等の後処理を行えば、充填成型工程は完了する。なお、前記樹脂充填装置は公知であるので、その詳細な機構の説明は省略する。必要ならば、例えば、特開２０１４−７８９９号公報、特開２０１４−９６９４２号公報等を参照されたい。
【００３３】
上記製造方法によれば、貫通孔８へ樹脂材料１０を充填するのと、実質的に同時に、樹脂材料１０で絶縁体１１を成型するので、固定子鉄心の製造工程を合理化して生産コストを低減することができる。また、固定子鉄心１に合わせて絶縁体１１を成形するので、絶縁体１１を別工程で成形してティースに装着する場合に必要な、固定子鉄心１の寸法のばらつきに対応する余裕を絶縁体１１に持たせる必要がない。そのため、絶縁体１１の寸法余裕に起因する巻線１２の占積率の低下や鉄心占積率の低下が生じない。
【００３４】
最後に、図１０と図１１を参照して、本発明の実施形態に係る電動機１８について、説明する。図１０に示した電動機１８は、回転軸１９を介してハウジング２０に回転自在に支持された回転子２１を備え、固定子９はハウジング２０の内部に、回転子２１と同軸に配置されている。固定子９は図３に示した固定子鉄心１を備えている。また、固定子９の上下にあって、固定子９とハウジング２０に挟まれた空隙２２，２３には、電動機１８の図示しない構成部品、例えば、端子台や、巻線１２に電力を供給する配線が収容される。
【００３５】
図１０に示した電動機１８の固定子鉄心１は、ヨーク部３を形成する形状だけを備える鉄心片２’を積層して上端部６及び下端部７を構成しているので、ティース部４の積層高さを変えずに、ヨーク部３の積層高さだけを高くすることができる。ヨーク部３の積層高さを高くすれば、ヨーク部３の断面積が大きくなるから、ヨーク部３を通過する磁束密度が小さくなる。その結果、鉄損が減少するから、電動機１８の効率が向上する。なお、この時、ティース部４の積層高さは変らないから、巻線１２の長さも変わらないので、銅損は変わらない。ヨーク部３の断面積を一定にして、ヨーク部３の積層高さを高くする設計を選択すれば、ヨーク部３の幅を小さくできるので、その分、ティース部４の長さを長くして、巻線１２の占積率を拡大できる。その結果、電動機１８の出力と効率が向上する。電動機１８の外径とティース部４の長さを一定にした場合に、ヨーク部３の積層高さを高くして、ヨーク部３の幅を小さくすれば、回転子２１の外径を大きくすることができる。その結果、電動機１８の出力が向上する。
【００３６】
また、図１０に示した電動機１８の固定子鉄心１は、ヨーク部３において鉄心片２’を積み上げているので、ヨーク部３とハウジング２０に挟まれた空隙２２を、図１２に示した従来技術に係る電動機１８に比べて、小さくすることができる。つまり、ハウジング２０内の無駄なスペースを小さくできる。
【００３７】
図１１に示した電動機１８の固定子９の固定子鉄心１は、ティース部４を構成する形状だけを備える鉄心片２’を積層して上端部６及び下端部７を構成している。したがって、図１０に示した電動機１８の固定子９の固定子鉄心１の場合とは逆に、この固定子鉄心１においては、ティース部４の積層高さはヨーク部３より高い。また、ヨーク部３の上下に空隙２２が形成されていて、空隙２２に、端子台や、巻線１２に電力を供給する配線を収容できる。
【００３８】
このように、図１１に示した電動機１８は、ティース部４の積層高さを高くしているので、ティース部４の断面積を拡大して、ティース部４を通過する磁束密度を小さくすることができる。その結果、ティース部４における鉄損が減少するので、電動機１８の効率が向上する。あるいは、ティース部４に生じる磁束を大きくすることができるので、電動機１８の出力を大きくすることができる。
【００３９】
また、図１１に示した電動機１８の固定子鉄心１は、ティース部４において鉄心片２’を積み上げているので、図１２に示した従来技術に係る電動機１８にあった、ティース部４とハウジング２０に挟まれた空隙２３を無くすことができる。つまり、ハウジング２０内の無駄なスペースを小さくできる。
【００４０】
なお、図６（ｂ）と図７（ｂ）に示した固定子９を用いれば、それぞれ、第２の実施形態と第３の実施形態に係る電動機１８を構成することができる。図５（ｂ）に示した固定子鉄心１を用いれば、第４の実施形態に係る電動機１８を構成することができる。
【００４１】
なお、上記の実施形態は本発明の具体的実施態様を例示するものであって、本発明の技術的範囲を画すものではない。本発明は特許請求の範囲に記述された技術的思想の限りにおいて、自由に変形、応用あるいは改良して実施することができる。
【００４２】
上記実施形態においては、本発明を固定子鉄心１に適用する例を示したが、本発明の適用対象は、固定子鉄心には限定されない。本発明は、回転子鉄心に適用することもできる。
【００４３】
図１等に示した固定子鉄心１の形状や形態は例示であって、本発明の適用対象は、かかる形状や形態を備える電機子鉄心には限定されない。例えば、ヨーク部３の形状、ティース部４の形状や個数、中心部５、上端部６及び下端部７の寸法比率は例示であって、本発明の技術的範囲は、これらによっては限定されない。
【００４４】
上記実施形態において、本発明に係る「端部」の具体例として、上端部６と下端部７を例示したが、「端部」を「上端部」と「下端部」に限定する意図はない。例えば、固定子鉄心１を反転させれば、上端部６と下端部７は入れ替わるし、固定子鉄心１を横転させれば、左端部と右端部が「端部」になる。
【００４５】
上記実施形態においては、中心部の両端面に端部が対称に配置された例を例示したが、本発明の技術的範囲は、対称に配置された端部を備えるものには限定されない。例えば、上端部６と下端部７の形状や寸法は異なっていても良いし、上端部６あるいは下端部７のいずれか一方だけを備えるものであっても良い。
【００４６】
上記実施形態においては、貫通孔８をヨーク部３に形成した例（図１〜５，６，８〜１０，１２）と貫通孔８に加えて、貫通孔８’をティース部４に形成した例（図７，１１）を例示したが、本発明の技術的範囲は、これらには限定されない。貫通孔をどこに形成するかは、全くの任意である。
【００４７】
上記実施形態においては、貫通孔８に充填され、絶縁体１１を形成する樹脂材料１０としてエポキシ系樹脂を例示したが、本発明の技術的範囲はエポキシ系樹脂を使用するものには限定されない。樹脂材料の選択は全くの任意である。
【００４８】
上記実施形態においては、貫通孔へ樹脂材料を充填すると同時に、前記樹脂材料による絶縁体の成形を実行したが、両者は同一工程において実行されれば良い。つまり、充填と成形は同時に実行されても良いし、連続して実行されても良い。また、連続して実行される場合の順序は限定されない。なお、貫通孔８に充填する樹脂材料１０と同一の樹脂材料で絶縁体１１を成形したが、貫通孔８への充填と絶縁体１１の成形のそれぞれに適した樹脂材料となるように、添加するフィラー等の種類、量を異なるものにしても良い。この場合、複数種の原料樹脂を供給できるように、樹脂充填装置を構成すれば良い。
【００４９】
上記実施形態において示した、絶縁体１１及び上金型１３、下金型１４の形状は例示であって、本発明の技術的範囲はこれらによっては限定されない。
【００５０】
図１０、１１において、空隙２２、２３を例示したが、本発明の技術的範囲は、空隙２２、２３の有無や位置によっては限定されない。
【００５１】
上記実施形態においては、鉄心片の材料として電磁鋼板を例示したが、本発明の技術的範囲は電磁鋼板を使用するものには限定されない。冷延鋼板やアモルファス等、電機子鉄心を構成可能な材料であれば良く、材料の選択は全くの任意である。
【００５２】
上記実施形態においては、いわゆる一体型の固定子鉄心１を例示したが、固定子鉄心１は図１３に示すような分割型の固定子鉄心１であっても良い。すなわち、図１３（ａ）に示すような分割固定子鉄心２４を８個、環状に配列して、図１３（ｂ）に示すような固定子鉄心１を構成しても良い。なお、分割固定子鉄心２４は、固定子鉄心１を８分割したものには限定されない。例えば、分割固定子鉄心２４は、固定子鉄心１を４分割したものであっても良いし、１２分割したものであっても良い。つまり、４個の分割固定子鉄心２４を組み合わせて固定子鉄心１が構成されても良いし、１２個の分割固定子鉄心２４を組み合わせて固定子鉄心１が構成されても良い。また、1個の分割固定子鉄心２４が備えるティース部４は１個には、限定されない。1個の分割固定子鉄心２４が複数個のティース部４を備えるようにしても良い。
【００５３】
上記実施形態においては、貫通孔に樹脂材料を充填することで鉄心片を相互に接合した固定子鉄心を例示したが、接合手段は樹脂材料の充填には限定されない。かしめ等の別の接合手段を選択してもよい。
【００５４】
上記実施形態においては、固定子の内径側に回転子を配置するインナーロータタイプを例示したが、固定子の外径側に回転子を配置するアウターロータタイプでも良い。
【符号の説明】
【００５５】
１  固定子鉄心
２  鉄心片
２’鉄心片
３  ヨーク部
４  ティース部
５  中心部
６  上端部
７  下端部
８  貫通孔
８’貫通孔
９  固定子
１０  樹脂材料
１１  絶縁体
１２  巻線
１３  上金型
１４  下金型
１５  充填用樹脂注入口
１６  成型用樹脂注入口
１７  隙間
１８  電動機
１９  回転軸
２０  ハウジング
２１  回転子
２２  空隙
２３  空隙
２４  分割固定子鉄心
【図１】
2016086508.tif 000003
【図２】
2016086508.tif 000004
【図３】
2016086508.tif 000005
【図４】
2016086508.tif 000006
【図５】
2016086508.tif 000007
【図６】
2016086508.tif 000008
【図７】
2016086508.tif 000009
【図８】
2016086508.tif 000010
【図９】
2016086508.tif 000011
【図１０】
2016086508.tif 000012
【図１１】
2016086508.tif 000013
【図１２】
2016086508.tif 000014
【図１３】
2016086508.tif 000015